(57)【要約】【課題】制御回路装置を誤動作させる不正行為を確実に防止する。【解決手段】メイン基板収納ケース２５は、前カバー５１と後カバー５２とから構成され、メイン基板２４を収納する。前カバー５１には、プラグ４４ａ〜４６ａを挿入するために、接続開口５４〜５６が設けられる。各接続開口５４〜５６の内壁には回転軸５７，５８が設けられる。第１，第２遮蔽カバー６１，６２は、側面に切欠き６１ａ，６２ａが形成される。回転軸５７，５８に切欠き６１ａ，６２ａを挿入することにより、第１，第２遮蔽カバー６１，６２は、回転軸５７，５８に回転自在に取り付けられる。プラグ４４ａ〜４６ａを、メイン基板２４に設けられたコネクタ４７〜４９に挿入後、第１，第２遮蔽カバー６１，６２を、各接続開口５４〜５６を遮蔽する位置に移動する。【選択図】        図７
2004261312.tif 000002
【特許請求の範囲】
【請求項１】
遊技の際に駆動される駆動装置と、前記駆動装置が取り付けられる筐体内部に設けられ、前記駆動装置を駆動制御するための制御回路装置とを有する遊技機において、
前記制御回路装置に設けられる接続コネクタと、
前記駆動装置に設けられ、前記接続コネクタに接続するための接続プラグと、前記接続コネクタに接続された接続プラグを被覆するための被覆手段とを備えたことを特徴とする遊技機。
【請求項２】
前記被覆手段を、前記接続プラグを露呈する開口を備え、前記制御回路装置を収納する収納ケースと、前記接続プラグを接続コネクタに接続させた後に、前記開口を遮蔽する遮蔽カバーとから構成したことを特徴とする請求項１記載の遊技機。
【請求項３】
前記被覆手段を、前記制御回路装置の接続コネクタ近傍に設けられ、前記接続コネクタと接続プラグとの接続が行われていない場合に位置する初期位置と、前記接続コネクタと接続プラグとの接続後に接続コネクタと接続プラグとを被覆する被覆位置との間で移動可能なカバー部材から構成したことを特徴とする請求項１記載の遊技機。
【発明の詳細な説明】
【０００１】
【発明の属する技術分野】
本発明は、パチンコ店等の遊技場に設置して使用される遊技機に関するものである。
【０００２】
【従来の技術】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、その筐体内部に、遊技媒体の供給に基づいて作動させるランプ装置や音声発生装置などの様々な各種駆動装置及びこれら駆動装置を制御させるために対応させた制御回路装置を備えており、遊技者が遊技を行う際にこれらを適宜作動させることによって遊技を興趣に溢れたものとしている。また、近年では、所定の識別情報（図柄）を変動表示し得るリール表示装置または液晶画像表示装置等の図柄可変表示装置を内蔵し、所定条件を満たしたときに識別情報を変動させた後に停止表示させるように図柄可変表示装置を作動させるものが主流となっている。これらの装置は制御回路装置によって制御されている。
【０００３】
最近の遊技機の内部に配設されている制御回路装置は、基板上に設けられたＣＰＵ（ｃｅｎｔｒａｌ  ｐｒｏｃｅｓｓｉｎｇ  ｕｎｉｔ）が、制御プログラムに従って電子制御を行うものが一般的である。制御プログラムは、マスクＲＯＭ（ｒｅａｄ  ｏｎｌｙ  ｍｅｍｏｒｙ）のような基板上に装着されたＩＣチップにデータとして記憶されており、ＣＰＵは、遊技状態に応じてＩＣチップから制御プログラムのデータを逐次読み出して実行することによって制御を行っている。
【０００４】
また、遊技場に設置される遊技機は、制御プログラムが不正に改変されないよう管理されており、制御回路装置を収納ケースに収納し、その収納ケースを、本体枠の所定部材に組み付けるなどして、制御プログラムが不正に改変されないように配慮がなされている。
【０００５】
【発明が解決しようとする課題】
しかしながら、制御回路装置が収納される収納ケースには、駆動装置に設けられたプラグを制御回路装置に設けられたコネクタに接続させるために開口が設けられており、この開口から針金等の金属片を挿入し、コネクタと接続されたプラグの接続端子に接触させてショートさせて、それにより制御回路装置が誤動作させられるという問題があった。
【０００６】
本発明は、上記従来技術の問題を解決するためになされたものであり、制御回路装置を誤動作させる不正行為を確実に防止することができる遊技機を提供することを目的とする。
【０００７】
【課題を解決するための手段】
上記目的を達成するために、本発明の遊技機は、遊技の際に駆動される駆動装置と、前記駆動装置が取り付けられる筐体内部に設けられ、前記駆動装置を駆動制御するための制御回路装置とを有する遊技機において、前記制御回路装置に設けられる接続コネクタと、前記駆動装置に設けられ、前記接続コネクタに接続するための接続プラグと、前記接続コネクタに接続された接続プラグを被覆するための被覆手段とを備えたものである。
【０００８】
なお、前記被覆手段を、前記接続プラグを露呈する開口を備え、前記制御回路装置を収納する収納ケースと、前記接続プラグを接続コネクタに接続させた後に、前記開口を遮蔽する遮蔽カバーとから構成することが好ましい。また、前記被覆手段を、前記制御回路装置の接続コネクタ近傍に設けられ、前記接続コネクタと接続プラグとの接続が行われていない場合に位置する初期位置と、前記接続コネクタと接続プラグとの接続後に接続コネクタと接続プラグとを被覆する被覆位置との間で移動可能なカバー部材から構成することが好ましい。
【０００９】
【発明の実施の形態】
以下、本明細書中では遊技機としてスロットマシンを例に挙げて説明しているため、遊技媒体としてメダルを用いて説明するが、遊技媒体としてはコインやパチンコ玉など他の媒体も含む。また、本明細書中で用いる「メダル（遊技媒体）の投入」には、実際にメダル投入口にメダルを投入することの他に、クレジットされたメダルをベットボタンなどによりベットすることを含む。さらに、当選絵柄を入賞有効ライン上に揃えた状態を入賞、入賞となる前の状態で、電子抽選により当選役が当選されている状態を内部入賞とする。
【００１０】
図１に本発明を用いた遊技機の１実施例であるスロットマシンの外観を示す。スロットマシン１０は、筐体１１の前面扉１２に４個の表示窓１３が設けられており、各々の表示窓１３の奥に位置するように第１リール１４ａ、第２リール１４ｂ、第３リール１４ｃ及びサブリール１５が回転自在に組み込まれている。周知のように、第１〜第３リール１４ａ〜１４ｃの外周には複数種類の当選絵柄が一定ピッチで配列され、リールが停止した状態では表示窓１３を通して１リール当たり３個の絵柄が観察可能になる。これにより、各リールの絵柄を一個ずつ組み合わせた直線状の入賞有効ラインが横３本斜め２本の合計５本が設定される。
【００１１】
ゲームの開始に先立ってメダル投入口１６から１枚のメダルを投入したときには中央横一本の入賞有効ラインが有効化され、２枚では横３本、３枚ではさらに斜め２本を加えた５本の入賞有効ラインが有効化される。また、メダルは５０枚を限度にクレジット（貯留）することが可能になっている。なお、表示窓１３から１リール当たり例えば４個ずつの絵柄を観察できるようにしておき、横４本の入賞有効ラインのほかに、各リールごとに絵柄を一個ずつ組み合わせるように折れ曲がった別の入賞有効ラインを設定することも可能である。
【００１２】
サブリール１５は、スタートレバー１７の操作により第１〜第３リール１４ａ〜１４ｃとともに回転を始める。サブリール１５は、ＢＢモードに移行させるＢＢが内部入賞したときに「ＢＩＧ」を表示する位置で停止され、ＲＢモードに移行させるＲＢが内部入賞したときに「ＲＥＧ」を表示する位置で停止される。また、電子抽選でハズレが抽選されたときは、何も表示しない位置で停止される。なお、サブリール１５の外周に描かれる絵柄は適宜の絵柄にすることが好ましく、絵柄に限らず、例えばマークや数字などにしてもよい。また、サブリール１５には、特定の当選役に当選したことを示したり、特定の当選役に当選したか否かの期待度を示す絵柄を描くなど適宜の絵柄を描いて適宜報知を行うようにしてよい。
【００１３】
ストップボタン１８ａ〜１８ｃは、これらを操作することにより、各ボタンに対応した第１〜第３リール１４ａ〜１４ｃが個別に停止される。ストップボタン１８ａ〜１８ｃの上方の操作パネルには、メダルがクレジットされた状態でゲームを行うときに操作される１ベットボタン、ＭＡＸベットボタン、ペイアウトボタンなどの各種の操作ボタンが設けられている。これらの操作ボタンの機能はいずれも周知であるのでその詳細については省略する。
【００１４】
筐体１１の下部にはメダル受け皿１９が設けられており、このメダル受け皿１９には、ゲームで入賞が得られたときに得られる配当メダルが払い出し口２０から払い出される。
【００１５】
前面扉１２は、上扉１２ａと下扉１２ｂとから構成されている。上扉１２ａ及び下扉１２ｂはそれぞれヒンジ２１により取り付けられ、それぞれ図中矢印の方向に回動させることができるようになっている。上扉１２ａには情報表示手段である液晶パネル２２が設けられている。液晶パネル２２では、例えばＢＢ、ＲＢ、小役などが入賞された際の配当メダルの枚数を表示する配当メダル枚数表示部２２ａ、クレジット枚数表示部２２ｂ、ＢＢモードやＲＢモードで行われたゲーム数を表示するゲーム数表示部２２ｃ、メダルの払い出し枚数を表示する払い出し枚数表示部２２ｄなどが設けられ、スロットマシン１０の機種ごとに応じた情報が表示される。
【００１６】
図２に示すように、筐体１１内部には、主制御部であるメイン基板２４が配設されている。メイン基板２４は、メイン基板収納ケース２５に収納されている。リールユニット２６は、支持枠２７に取り付けられ、支持枠２７は筐体１１内部に着脱自在に取り付けられている。このため、リールユニット２６は、支持枠２７とともに交換可能となっている。
【００１７】
リールユニット２６は、第１〜第３リール１４ａ〜１４ｃ、サブリール１５、リール保持枠２８から構成されている。リール保持枠２８は前面側が開放されており、その内部には図示しないリール支持部材が設けられている。リール支持部材には第１〜第３リール１４ａ〜１４ｃ及びサブリール１５が回動自在に取り付けられている。これにより、第１〜第３リール１４ａ〜１４ｃ及びサブリール１５はリール保持枠２８と一体にされる。第１〜第３リール１４ａ〜１４ｃ、サブリール１５は、ステッピングモータ３７ａ〜３７ｄ（図８参照）によって回転駆動される。これらステッピングモータ３７ａ〜３７ｄは、リール駆動コントローラ３６（図８参照）によって駆動制御される。
【００１８】
メイン基板２４と、メダルセンサ３４、スタート信号センサ３５、リール駆動コントローラ３６とは、接続ケーブル４４〜４６を介して電気的に接続されている（図８参照）。各接続ケーブル４４〜４６の先端部には、メイン基板２４に接続するために、プラグ４４ａ〜４６ａ（図３参照）が設けられている。各プラグ４４ａ〜４６ａを、メイン基板２４に設けられたコネクタ４７〜４９（図４参照）に挿入することにより、メダルセンサ３４、スタート信号センサ３５、リール駆動コントローラ３６とメイン基板２４とは電気的に接続される。
【００１９】
メイン基板収納ケース２５の正面斜視図を図３に、正面分解斜視図を図４に示す。メイン基板収納ケース２５は、前カバー５１と後カバー５２とから構成され、後カバー５２は、筐体１１内部の背面側に組み付けられている。前カバー５１と後カバー５２とは、メイン基板２４を収納した状態で取り付けられており、これにより、メイン基板２４に対して何人も接触できないよう防護している。
【００２０】
前カバー５１は、左側端部には円筒状の軸部５１ａと軸開口５１ｂとが、右側端部にはビス締め孔が形成された円筒状のビス締め部５１ｃが、上面及び下面には係合開口５１ｄが設けられている。軸開口５１ｂは２個、ビス締め部５１ｃは６個、係合開口５１ｄは上下面に２個ずつ設けられている。また、前カバー５１には、各接続ケーブル４４〜４６の先端部に設けられたプラグ４４ａ〜４６ａを挿入するために、接続開口５４〜５６が設けられている。
【００２１】
後カバー５２は、左側端部には軸部５１ａが挿入されるヒンジ部５２ａが、内部にはメイン基板２４の基板受けリブ５２ｂ（図６参照）が、右側端部にはビス締め孔が形成された円筒状のビス締め部５２ｃが、上面及び下面には係合開口５１ｄに挿入されるテーパ状の係合突起５２ｄが設けられている。ヒンジ部５２ａは２個、ビス締め部５２ｃは６個、係合突起５２ｄは上下面に２個ずつ設けられている。ビス締め部５１ｃとビス締め部５２ｃとは、ビス５９によりビス締め固定される。
【００２２】
図５に示すように、各接続開口５４〜５６の内壁には回転軸５７，５８が設けられており、回転軸５７，５８には、位置決め突起５７ａ，５８ａ（図６参照）が形成されている。接続開口５４を遮蔽するために、回転軸５７には、第１遮蔽カバー６１が、回転軸５８には、第２遮蔽カバー６２が取り付けられる。第１遮蔽カバー６１は、側面に切欠き６１ａが形成されており、回転軸５７に切欠き６１ａを挿入することにより、第１遮蔽カバー６１は、回転軸５６に回転自在に取り付けられる。なお、第１遮蔽カバー６１及び第２遮蔽カバー６２は、透明な樹脂から形成されている。
【００２３】
図６に示すように、切欠き６１ａには、９０°ピッチで位置決め凹部６１ｂが２個形成されており、この位置決め凹部６１ｂには、位置決め突起５７ａが挿入される。図７に示すように、位置決め突起５７ａは、２個の位置決め凹部６１ｂのどちらかに挿入される位置で固定され、これにより、第１遮蔽カバー６１は、接続開口５４を開放する位置（図７（Ａ））と、接続開口５４を遮蔽する位置（図７（Ｂ））とで固定される。
【００２４】
同様にして、第２遮蔽カバー６２は、側面に切欠き６２ａが形成されており、この切欠き６２ａを回転軸５８に挿入することにより、第２遮蔽カバー６２は、回転軸５８に回転自在に取り付けられる。切欠き６２ａには、９０°ピッチで位置決め凹部６２ｂが２個形成されており、この位置決め凹部６２ｂには、位置決め突起５８ａが挿入される。位置決め突起５８ａは、２個の位置決め凹部６２ｂのどちらかに挿入される位置で固定され、これにより、第２遮蔽カバー６２は、接続開口５４を開放する位置（図７（Ａ））と、接続開口５４を遮蔽する位置（図７（Ｂ））とで固定される。
【００２５】
同様にして、接続開口５５，５６を遮蔽するために、接続開口５５，５６の内壁に設けられた回転軸５７には第１遮蔽カバー６１が、回転軸５８には第２遮蔽カバー６２が取り付けられている。
【００２６】
図８に示すように、スロットマシン１０の作動は基本的にＣＰＵ３０及びメモリ３１を備えたメイン基板２４によって管制される。メイン基板２４にはＣＰＵ３０の他、後述する電子抽選部３２、当選役決定部３３が設けられている。メダルセンサ３４はメダル投入口１６から投入された適正なメダルを検知し、ＣＰＵ３０に入力する。メダル投入口１６の奥にはセレクタが組み込まれ、不適正なメダルはメダル受け皿１９に排出される。また、セレクタは不適切なタイミングでメダルの投入が行われたとき、例えばゲームの途中や各種の操作ボタンが押されたままの状態で投入されたメダルについても、メダルセンサ３４を経由させずにメダル受け皿１９に排出する。
【００２７】
なお、ゲームの開始に先立って投入するメダルの枚数は１〜３枚に限られているため、クレジット機能を用いていないときには４枚目以降に投入されたメダルもメダルセンサ３４で検知されることなくメダル受け皿１９に排出される。クレジット機能のオン／オフはペイアウトボタンの１プッシュごとに切替えられる。そして、クレジット機能がオン状態のときには４枚目以降に投入されたメダルもメダルセンサ３４で検知され、５０枚を限度にスロットマシン内部にクレジットされる。クレジットされたメダルの枚数はクレジット枚数表示器でデジタル表示される。クレジット機能を用いているときには、前述した１ベットボタンやＭＡＸベットボタンの操作によりメダルの投入操作が行われ、そのベット枚数がクレジット枚数から逐次に減算される。また、配当メダルもクレジットされ、ペイアウトボタンを操作したときにクレジットされたメダルが受け皿１９に払い出される。
【００２８】
ＣＰＵ３０は、ゲームの開始に先立って投入された１〜３枚のメダルの枚数をメダルセンサ３４からの検知信号に基づいて計数し、これにより入賞有効ラインの有効化本数を決定する。ゲームの開始ごとに投入されたメダルのベット枚数は、メダルセンサ３４によって積算して計数される。なお、クレジット枚数は図示を省略した別のクレジットメダルカウンタで計数される。
【００２９】
スタート信号センサ３５は１〜３枚のメダルが投入された後、スタートレバー１７が操作されたときにゲームスタート信号をＣＰＵ３０に入力する。ゲームスタート信号を受けて、ＣＰＵ３０はメモリ３１のＲＯＭ領域に格納されたプログラムに基づいて第１〜第３リール１４ａ〜１４ｃ回転させるとともにゲームの処理を開始する。
【００３０】
各リールの駆動及び停止制御は、リール駆動コントローラ３６によって行われる。それぞれのリールは個別のステッピングモータ３７ａ〜３７ｄの駆動軸に固着され、各ステッピングモータ３７ａ〜３７ｄの駆動を制御することにより各リールの制御が行われる。なお、メモリ３１のＲＡＭ領域はワーキングエリアとなっており、毎回のゲームごとに利用されるフラグやデータなどの一時的保管や書き換えなどに用いられる。
【００３１】
ステッピングモータ３７ａ〜３７ｄは供給された駆動パルスの個数に応じた回転角で回転するから、ＣＰＵ３０により駆動パルスの供給個数を制御することによって第１〜第３リール１４ａ〜１４ｃ及びサブリール１５の回転角を制御することができ、また駆動パルスの供給を絶つことによりリールの停止位置を決めることができる。また、各リールには、その基準位置に反射信号部３８ａ〜３８ｃが一体に形成され、その一回転ごとにフォトセンサ３９ａ〜３９ｃがそれぞれの反射信号部の通過を光電検出する。フォトセンサ３９ａ〜３９ｃによるリールごとのリセット信号は、ＣＰＵ３０に入力される。
【００３２】
ＣＰＵ３０内にはステッピングモータ３７ａ〜３７ｄごとにパルスカウンタが設けられ、各々のステッピングモータ３７ａ〜３７ｄに供給された駆動パルスの個数を計数する。そして、フォトセンサ３９ａ〜３９ｃからリセット信号が入力されたときに、対応するパルスカウンタのカウント値をクリアする。したがって、それぞれのパルスカウンタには、各リールの１回転内の回転角に対応した駆動パルスの個数が逐次に更新しながら保存されることになる。
【００３３】
メモリ３１のＲＯＭ領域には絵柄テーブルが格納され、絵柄テーブルには、各リールの基準位置からの回転角に対応した駆動パルスの個数と、リールに一定ピッチで配列されたそれぞれの絵柄を表す絵柄コードとが対応づけられている。したがって、リールごとにパルスカウンタのカウント値を監視することによって、例えば中央の入賞有効ライン上にどの絵柄が移動してきているのかを識別することができ、また、さらにどの程度リールを回転させれば目的の絵柄がその入賞有効ライン上に移動してくるのかを予測することができる。
【００３４】
ストップボタンセンサ（図示せず）はストップボタン１８ａ〜１８ｃが操作されたときにＣＰＵ３０にリールごとのストップ信号を入力する。スタートレバー１７を操作して全リールの回転が始まり、これらの回転が定常速度に達した時点でストップボタン１８ａ〜１８ｃの操作が有効化される。その後、これらを操作することによってそれぞれ対応する第１〜第３リール１４ａ〜１４ｃの停止制御が開始される。なお、複数のストップボタンを操作したときにはタイミングの早い方のリールだけが停止し、完全に同時操作したときにはいずれのリールも停止しない。
【００３５】
ＣＰＵ３０は、ゲームスタート信号を受けて電子抽選部３２を作動させる。電子抽選部３２は乱数発生器と乱数値サンプリング回路とを含み、ゲームが開始されるごとに１つの乱数値を抽選する。抽選された乱数値は、当選役決定部３３に入力され、入力された値に応じて現在実行されたゲームでどのような当選役を与えるかが決定される。
【００３６】
当選役決定部３３には、乱数値をその大きさに応じてグループ分けした当選テーブルが複数設けられている。第１当選役抽選テーブルは、通常モードで用いられ、通常モードでのゲームでサンプリングされた乱数値が、ＢＢモードに移行する権利を与えるＢＢ、ＲＢモードに移行する権利を与えるＲＢ、所定枚数のメダル払出しだけを行う小役当選絵柄に対応する小役、メダルの投入なしに同じベット数で次回のゲームを行う権利を与えるリプレイ、一切当たりを発生させないハズレなどのいずれの絵柄に属しているかの判定、すなわち当選判定に用いられる。なお、小役当選絵柄は複数種類あり、それぞれに配当メダルが割り当てられている。そして、サンプリングされた乱数値がいずれの当選絵柄に属した値であるかによって当選役の種類と絵柄とが決められる。
【００３７】
また、当選役決定部３３には、第１当選役抽選テーブルの他に、ＢＢモードやＲＢモードで用いられる当選役抽選テーブルが設けられている。当選役決定部３３で当選判定が行われると、決定されたハズレ又は当選役の種類を示す当選役決定信号がＣＰＵ３０に入力される。
【００３８】
上記のように構成されたスロットマシンの作用について説明する。スロットマシン１０を組み立てる際に、メイン基板２４をメイン基板収納ケース２５に収納した状態で、本体枠３の所定部材に取り付ける。この際、第１遮蔽カバー６１及び第２遮蔽カバー６２を、図７（Ａ）に示す位置（接続開口５４〜５６を開放する位置）に配置しておく。メイン基板２４を後カバー５２に収納し、後カバー５２に設けられたヒンジ部５２ａを前カバー５１に設けられた軸開口５１ｂに挿入して、軸部５１ａをヒンジ部５２ａに挿入し、軸部５１ａを基軸にして前カバー５１を回転させ、前カバー５１を後カバー５２に取り付ける。各前カバー５１を後カバー５２に取り付けると、後カバー５２に設けられた係合突起５２ｄが前カバー５１に設けられた係合開口５１ｄに挿入され、前カバー５１と後カバー５２とは係合される。そして、ビス５９により、ビス締め部５１ｃとビス締め部５２ｃとをビス締め固定する。これにより、前カバー５１と後カバー５２とは強固に係合される。
【００３９】
メダルセンサ３４に接続された接続ケーブル４４のプラグ４４ａを、接続開口５４を通してメイン基板２４に設けられたコネクタ４７に挿入する。プラグ４４ａをコネクタ４７に挿入後、図７（Ｂ）に示すように、第１遮蔽カバー６１を時計方向に、第２遮蔽カバー６２を反時計方向にそれぞれ回転させると、第１遮蔽カバー６１及び第２遮蔽カバー６２が、接続開口５４を遮蔽する。これにより、プラグ４４ａ及びコネクタ４７は、何人も接触できないよう防護される。同様にして、スタート信号センサ３５、リール駆動コントローラ３６に接続された接続ケーブル４５，４６のプラグ４５ａ，４６ａを、メイン基板２４に設けられたコネクタ４８，４９に挿入後、接続開口５５，５６を遮蔽する第１遮蔽カバー６１を時計方向に、第２遮蔽カバー６２を反時計方向にそれぞれ回転させる。
【００４０】
このように、プラグ４４ａをコネクタ４７に挿入後は、プラグ４４ａ及びコネクタ４７は、第１遮蔽カバー６１及び第２遮蔽カバー６２により、何人も接触できないよう防護されるから、外部より挿入される針金等の金属片をプラグ４４ａ及びコネクタ４７の金属端子に接触させてショートさせ、それにより制御回路装置が誤動作させられることがなくなる。また、プラグ４４ａをコネクタ４７に挿入する際に、第１遮蔽カバー６１及び第２遮蔽カバー６２は、接続開口５４〜５６を開放する位置で固定されるから、作業性が悪くなることもない。
【００４１】
なお、上記実施形態では、第１遮蔽カバー６１及び第２遮蔽カバー６２を、前カバー５１とは別部品で構成したが、前カバーと第１遮蔽カバー及び第２遮蔽カバーとを二色成形により同一部品として成形してもよく、その場合には、第１遮蔽カバー及び第２遮蔽カバーに可弾性を持たせる構造にする。
【００４２】
また、上記実施形態では、位置決め突起５７ａ，５８ａと位置決め凹部６１ｂ，６２ｂとにより、第１遮蔽カバー６１及び第２遮蔽カバー６２を、接続開口５４〜５６を開放する位置と遮蔽する位置とで固定したが、これに限定されることなく、第１遮蔽カバー６１及び第２遮蔽カバー６２を、接続開口５４〜５６を開放する位置と遮蔽する位置とで固定することができればよく、例えば、動作の途中で荷重を加える方向が反転する反転バネ等を用いてもよい。
【００４３】
さらに、上記実施形態では、第１遮蔽カバー６１及び第２遮蔽カバー６２を回転させて、接続開口５４〜５６を開放する位置と遮蔽する位置とで移動可能にしたが、これに限定されることなく、接続開口５４〜５６を開放する位置と遮蔽する位置とで移動可能であればよく、例えば、上下方向に移動可能な第１遮蔽カバー及び第２遮蔽カバーを用いてもよい。
【００４４】
また、上記実施形態では、メダルセンサ３４、スタート信号センサ３５、リール駆動コントローラ３６とメイン基板２４とを接続ケーブル４４〜４６で電気的に接続し、前カバー５１に接続開口５４〜５６を設けるとともに、これら接続開口５４〜５６を遮蔽する第１遮蔽カバー６１及び第２遮蔽カバー６２を設けたが、これに限定されることなく、その他の装置とメイン基板２４とを接続ケーブルで接続してもよく、その場合には、前カバー５１に新たな接続開口を設け、その接続開口を遮蔽する第１遮蔽カバー６１及び第２遮蔽カバー６２を設ける。
【００４５】
さらに、上記実施形態では、遊技機としてスロットマシンに実施して説明したが、パチンコ機等に実施してもよい。
【００４６】
図９及び図１０に他の実施形態を示す。上記実施形態のものと同様の構成部材には同一の符号を付し、その詳細な説明を省略する。この実施形態では、前カバー７０には、接続開口５４を遮蔽する第１遮蔽カバー７１及び第２遮蔽カバー７２が回転自在に取り付けられている。これら第１遮蔽カバー７１及び第２遮蔽カバー７２は、それぞれ軸開口７１ａ，７２ａが形成されており、各軸開口７１ａ，７２ａは、前カバー７０に設けられた回転軸７４，７５に挿入されている。また、第１遮蔽カバー７１及び第２遮蔽カバー７２は、それぞれビス締め用のビス締め孔７１ｂ，７２ｂが形成されている。メダルセンサ３４に接続された接続ケーブル４４のプラグ４４ａを、メイン基板２４に設けられたコネクタ４７に挿入する。プラグ４４ａをコネクタ４７に挿入後、図９で実線で示す位置に配置される位置まで、第１遮蔽カバー７１を時計方向に、第２遮蔽カバー７２を反時計方向にそれぞれ回転させる。そして、ビス７７によりビス締め孔７１ｂ，７２ｂがビス締め固定され、第１遮蔽カバー７１及び第２遮蔽カバー７２が、接続開口５４を遮蔽する。これにより、プラグ４４ａ及びコネクタ４７は、何人も接触できないよう防護される。同様にして、接続開口５５，５６を遮蔽するために、前カバー７０に設けられた回転軸７４には第１遮蔽カバー７１が、回転軸７５には第２遮蔽カバー７２が取り付けられている。
【００４７】
【発明の効果】
以上説明したように、本発明の遊技機によれば、制御回路装置に設けられる接続コネクタと、駆動装置に設けられ、接続コネクタに接続するための接続プラグと、接続コネクタに接続された接続プラグを被覆するための被覆手段とを備えたから、外部から接続プラグに接触することができなくなり、制御回路装置を誤動作させる不正行為を確実に防止することができる。
【図面の簡単な説明】
【図１】本発明を実施したスロットマシンの外観を示す斜視図である。
【図２】上扉を開放した状態を示す斜視図である。
【図３】メイン基板収納ケースを示す斜視図である。
【図４】メイン基板収納ケースを示す分解斜視図である。
【図５】前カバーと第１遮蔽カバー及び第２遮蔽カバーとを示す斜視図である。
【図６】前カバーと第１遮蔽カバー及び第２遮蔽カバーとを示す側面断面図である。
【図７】メイン基板収納ケースを示す側面断面図である。
【図８】スロットマシン内部の電気的構成を示す機能ブロック図である。
【図９】本発明の他の実施形態のメイン基板収納ケースを示す側面断面図である。
【図１０】図９に示したメイン基板収納ケースの前カバーと第１遮蔽カバー及び第２遮蔽カバーとを示す斜視図である。
【符号の説明】
１０  スロットマシン
１１  筐体
２４  メイン基板
２５  メイン基板収納ケース
２６  リールユニット
３４  メダルセンサ
３５  スタート信号センサ
３６  リール駆動コントローラ
４４〜４６  接続ケーブル
４４ａ〜４６ａ  プラグ
４７〜４９  コネクタ
５１  前カバー
５２  後カバー
５４〜５６  接続開口
５７，５８  回転軸
５７ａ，５８ａ  位置決め突起
６１  第１遮蔽カバー
６１ａ  切欠き
６１ｂ  位置決め凹部
６２  第２遮蔽カバー
６２ａ  切欠き
６２ｂ  位置決め凹部
【図１】
2004261312.tif 000003
【図２】
2004261312.tif 000004
【図３】
2004261312.tif 000005
【図４】
2004261312.tif 000006
【図５】
2004261312.tif 000007
【図６】
2004261312.tif 000008
【図７】
2004261312.tif 000009
【図８】
2004261312.tif 000010
【図９】
2004261312.tif 000011
【図１０】
2004261312.tif 000012